(57)【要約】      （修正有）【課題】ハンドルを昇降可能に設け、ハンドルを上昇させたとき、上昇端に達したことをクリック音で知る筆洗容器を提供する。【解決手段】ハンドル３は握り部４の両端に脚部５、５を下向きに突設して、該両脚部を容器本体に開設した挿入孔２３、２３に上下方向にスライド可能に嵌めており、脚部５の下端に、該挿入孔２３の孔縁に引っ掛かって脚部５の上方への抜止めを画る抜止め片６と、該抜止め片６の上方に位置し挿入孔２３の孔縁に引っ掛かってハンドル３の引上げ状態を保持し、ハンドル３を押し下げることにより、弾性変形により孔縁を越えて脚部５の下降を許す軟係止片７が夫々脚部５の側方へ突設している。軟係止片７が弾性変形して孔縁を越え、瞬時に弾性復帰する際にクリック音を発する。【選択図】図２
0003157894.tif 000002
【実用新案登録請求の範囲】
【請求項１】
上面が開口した容器本体(１)と、該容器本体(１)にハンドル(３)を上下方向にスライド可能に具えた筆洗容器において、ハンドル(３)は握り部(４)の両端に脚部(５)(５)を下向きに突設して、該両脚部(５)(５)を容器本体(１)に開設した挿入孔(23)(23)に上下方向にスライド可能に嵌めており、脚部(５)の下端に、該挿入孔(23)の孔縁(25)に引っ掛かって脚部(５)の上方への抜止めを画る抜止め片(６)と、該抜止め片(６)より高い位置にあり、挿入孔(23)の孔縁(26)に引っ掛かってハンドル(３)の引上げ状態を保持し、ハンドル(３)を押し下げることにより、弾性変形により孔縁(26)を越えて脚部(５)の下降を許す軟係止片(７)を夫々脚部(５)の側方へ突設しており、抜止め片(６)と軟係止片(７)の脚部(５)上での高さ方向の位置ずれは、抜止め片(６)が孔縁(25)の下面(25b)に当たった状態で、軟係止片(７)は孔縁(26)の上面(26a)に近接する状態に位置ずれしている、筆洗容器。
【請求項２】
各脚部(５)(５)は夫々２本の脚片(51)(51)を有し、夫々の脚片(51)に抜止め片(６)と軟係止片(７)を具えている、請求項１に記載の筆洗容器。
【請求項３】
各脚部(５)の２本の脚片(51)(51)は、互いに抜止め片(６)(６)は外向きに、軟係止片(７)(７)は内向きに夫々同じ高さ位置に突設されている、請求項２に記載の筆洗容器。
【請求項４】
脚部(５)を挿入する挿入孔(23)は矩形孔の対向する孔縁(27)(27)から突軸(24)(24)を間隔を存して突き合わさる様に突設して略Ｈ状を呈しており、挿入孔(23)の平行孔部(23a)(23a)に各脚片(51)(51)が嵌まり、抜止め片(６)と軟係止片(７)の何れか一方は、挿入孔(23)の平行孔部の突軸(24)(24)と平行な外側の孔縁(25)に対応し、他方は突軸上の孔縁(26)に対応する、請求項１又は２に記載の筆洗容器。
【請求項５】
軟係止片(７)の上面(7a)は孔縁(26)に対して上向き引上げ勝手に傾斜し、下面(7b)は孔縁(26)に対して下向き押込み勝手に傾斜している、請求項１乃至４の何れかに記載されている筆洗容器。
【請求項６】
挿入孔(23)の孔縁(25)(26)の上面(25a)(26a)は抜止め片(６)及び軟係止片(７)の下向き押込み勝手に傾斜しており、軟係止片(７)が通過する孔縁の下面は脚部(５)の押込み勝手に傾斜している、請求項１乃至５の何れかに記載の筆洗容器。
【請求項７】
容器本体(１)は、仕切り壁(11)(12)によって複数の槽(13)(14)(15)に区画され、該仕切り壁の上面と側側に跨がる角部に絵筆が嵌まる凹部(17)が形成されている、請求項１乃至６の何れかに記載の筆洗容器。
【請求項８】
凹部(17)には、筆洗用の突子列(18)が形成されている、請求項７に記載の筆洗容器。
【考案の詳細な説明】
【技術分野】
【０００１】
本考案は、水彩絵の具や水性塗料を使用した筆の穂先を洗うための筆洗容器に関するものである。
【背景技術】
【０００２】
筆洗容器として、複数の槽に仕切られた上面開口の容器本体の上面中央に、ハンドルを昇降可能に取り付けているものが実施されている(特許文献１)。
上記筆洗容器のハンドルは、握り部の両端に突設した脚部を、容器本体に成形した脚挿入部にスライド可能に挿入しており、脚部下端には抜止め片を具えている。
ハンドルは、脚部と脚挿入部との摩擦によって任意の高さに保持できる。
【先行技術文献】
【特許文献】
【０００３】
【特許文献１】特開平１１−４８６９９号
【考案の概要】
【考案が解決しようとする課題】
【０００４】
上記筆洗容器は、ハンドルを引き上げたとき、脚部の抜止め片が脚挿入部の当り部に当たることにより、それ以上のハンドルの引き上げが阻止される。ハンドル引上げの進行に伴って、脚部と脚挿入部の接触面積が徐々に小さくなる関係上、ハンドルの引上げ抵抗は徐々に小さくなり、即ち、ハンドルを軽く引き上げできる様になる。しかし、ハンドルの引上げストロークが短いので、引上げ力を加減することなく引き上げてしまうことが多い。ストッパーと当り部が強く衝突すると、その衝撃で容器内の水が飛び散ることがある。
本考案は、ハンドルが上昇端に達する直前に、そのことをハンドルを握った手に感触で知り、又、上昇端に達したことを音で知ることにより、上記問題を解決できる、筆洗容器を明らかするものである。
【課題を解決するための手段】
【０００５】
本考案の筆洗容器は、上面が開口した容器本体(１)と、該容器本体(１)にハンドル(３)を上下方向にスライド可能に具えた筆洗容器において、ハンドル(３)は握り部(４)の両端に脚部(５)(５)を下向きに突設して、該両脚部(５)(５)を容器本体(１)に開設した挿入孔(23)(23)に上下方向にスライド可能に嵌めており、脚部(５)の下端に、該挿入孔(23)の孔縁(25)に引っ掛かって脚部(５)の上方への抜止めを画る抜止め片(６)と、該抜止め片(６)より高い位置にあり、挿入孔(23)の孔縁(26)に引っ掛かってハンドル(３)の引上げ状態を保持し、ハンドル(３)を押し下げることにより、弾性変形により孔縁(26)を越えて脚部(５)の下降を許す軟係止片(７)を夫々脚部(５)の側方へ突設しており、抜止め片(６)と軟係止片(７)の脚部(５)上での高さ方向の位置ずれは、抜止め片(６)が孔縁(25)の下面(25b)に当たった状態で、軟係止片(７)は孔縁(26)の上面(26a)に近接する状態に位置ずれしている。
【考案の効果】
【０００６】
容器本体(１)にハンドル(３)を取り付けるには、ハンドル両端の脚部(５)(５)を容器本体(１)の挿入孔(23)(23)に強く押し込む。
脚部(５)が弾性変形して抜止め片(６)及び軟係止片(７)が孔縁(25)(26)を通過し、最下端まで下げることができる。
ハンドル(３)を持ち上げると、軟係止片(７)が挿入孔(23)の孔縁(26)に引っ掛かるのでその感触で上昇端の直前であることを知ることができる。
更にハンドル(３)を引き上げると、孔縁(26)に引っ掛かっている軟係止片(７)及びその近傍が弾性変形して孔縁(26)を通過し、瞬時に弾性復帰して孔縁(26)の上面に乗り上げる。このとき「カタ」とクリック音を発するので、その音でハンドル(３)が上昇端に達したことが分かる。
それ以上のハンドル(３)の引き上げは、抜止め片(６)が孔縁(25)に引っ掛かって阻止される。
【０００７】
上記の如く、ハンドル(３)を引き上げる際に、引上げ上端に達する直前に、その感触を手に感じ、上昇端に達したことを音で知ることができるので、ハンドル(３)を必要以上の力で引き上げてしまい、抜止め片(６)と孔縁(25)の強い衝突で、容器内の水を波立たせてしまい、容器外へ零すことを防止できる。
【図面の簡単な説明】
【０００８】
【図１】筆洗容器の斜視図である。
【図２】ハンドル及び容器本体の要部断面図である。
【図３】ハンドル脚部先端と容器本体のハンドル取付けベースの斜視図である。
【図４】ハンドルを下げた状態の説明図である。
【図５】ハンドルを上げた状態の説明図である。
【図６】ａ図は脚片上の軟係止片が孔縁を下方に通過した直後の状態の説明図、ｂ図は脚片の引上げ保持状態の説明図である。
【図７】他の実施例において、ａ図は脚片上の軟係止片が孔縁を下方に通過した直後の状態の説明図、ｂ図は脚片の引上げ保持状態の説明図である。
【考案を実施するための形態】
【０００９】
図１に示す如く、筆洗容器は、容器本体(１)とその中央部部に昇降可能に取り付けたハンドル(３)とによって構成される。
【００１０】
容器本体(１)は上面が略長方形状に開口した筺体であり、長さ約３０cm、幅約１２cm、高さ約１０cmである。
容器本体(１)は、幅方向の略中央部にて長手方向に沿って設けた長い仕切り壁(11)と、該仕切り壁(11)に直交して設けた短い２つの仕切り壁(12)(12)によって、１つの大槽(13)と３つの小槽(14)(14)(15)に区画されている。
【００１１】
容器本体(１)は上端に、半円状に外側に湾曲したフランジを具えており、該フランジの長手方向に沿う部分の端部寄りには、筆置き用凹み(19)(19)、(19)(19)が対向位置に形成されている。
フランジ(18)の両端部中央には紐通し孔(10)(10)が開設されており、該紐通し孔(10)(10)に紐(図示せず)を通して、筆洗容器を適所に吊り下げ可能となしている。
【００１２】
上記各仕切り壁(11)(12)(12)は、容器底を隆起させて形成されて中空であり上端高さは、前記容器本体(１)の上端よりも約２cm低い。
短い仕切り壁(12)(12)の上端には、筆の穂先を洗うための突子列(18)が設けられている。
長い仕切り壁(11)の両端寄りにて、仕切り壁(11)の上面と側面跨って湾曲凹部(17)形成されている。該凹部(17)は筆を位置決めして斜めに立てるための役割を成す。該凹部(17)の湾曲面に筆の穂先を洗うための突子列(18)が設けられている。
長い仕切り壁(11)の上端に、ハンドル(３)を取り付けるためのベース部(２)(２)が形成されている。
ベース部の説明に先だって、ハンドル(３)について説明する。
【００１３】
図２に示す如くハンドル(３)は、横長の握り部(４)の両端に下向きに脚部(５)(５)を突設している。
実施例の各脚部(５)は、夫々一対の板状脚片(51)(51)を、板面を接近して平行に対向させて形成されている。各脚片(51)(51)は握り部(４)の長手方向に直交する平行面内に位置している。
各脚部(５)の脚片(51)(51)は互いの先端側にて、外面に抜止め片(６)(６)、内面に軟係止片(７)(７)を有している。
【００１４】
図３、図６に示す如く、抜止め片(６)は上方へ徐々に外側へ拡大し、上面(6a)は脚片(51)(51)に直交する平面であり、下面(6b)は斜め上方に傾斜している。
軟係止片(７)は横向き山状を呈し、その上面(7a)は下方へ外向きに湾曲して傾斜し、下面(7b)は上方へ外向きに湾曲して傾斜している。
抜止め片(６)の側方への突出高さは、軟係止片(７)の側方への突出高さよりも少し大である。
【００１５】
容器本体(１)のハンドル取付け用のベース部(２)は、ハンドル(３)の脚部(５)(５)の間の間隔に対応して仕切り壁(11)の２箇所を隆起して形成され内部は中空で天板(21)は略正方形である。
天板(21)にはハンドル脚部(５)の挿入孔(23)が開設されている。該挿入孔(23)は、略長方形の孔の対向する孔縁の中央部から突軸(24)(24)を対向して突設して略Ｈ状に形成されている。
挿入孔(23)の平行孔部(23a)(23a)に前記ハンドル脚部(５)の脚片(51)(51)がスライド可能に挿入される。
天板(21)の四隅には、脚部(５)を真直に昇降案内するため、及びハンドル(３)の下降位置を規制するためのコーナガイド片(22)が突設されている。
【００１６】
平行孔部(23a)(23a)の互いに平行な外側の孔縁(25)(25)の上面(25a)は孔側へ湾曲して下向き傾斜しており、即ち、前記脚片(51)上の抜止め片(６)に対して押込み勝手に傾斜している。
抜止め片(６)の下面(6b)も、前記の如く、孔縁(25)に対して押込み勝手に傾斜している。
孔縁(25)の下面(25b)は水平面である。
【００１７】
該孔縁(25)(25)に対向する突軸(24)上の孔縁(26)(26)の上面(26a)(26a)は孔側に湾曲して下向き傾斜しており、即ち、前記脚片(51)(51)上の軟係止片(７)に対して押込み勝手に傾斜している。
該孔縁(26)(26)の下縁(26b)(26b)は孔側に湾曲して上向きに傾斜しており、即ち、軟係止片(７)に対して引抜き勝手に傾斜している。
軟係止片(７)の下面(7b)は孔縁(26)に対して押込み勝手に傾斜しており、上面(7a)は孔縁(26)に対して引抜き勝手に傾斜している。
挿入孔(23)の平行孔部(23a)(23a)の孔幅、即ち、孔縁(25)と突軸(24)との間の間隔は、ハンドル脚部(５)の抜止め片(６)が弾性変形して通過できる間隔である。
【００１８】
ハンドル脚部(５)の軟係止片(７)の頂部(7c)は、抜止め片(６)の上面(6a)よりも上記突軸(24)の高さ方向の厚み分だけ高位置にある。
図６ｂに示す如く、軟係止片(７)(７)の下方における脚片(51)(51)間の隙間間隔Ｗ1は、上記突軸(24)の幅長さＷに対して余裕があるが、軟係止片(７)の上方における脚片(51)(51)間の隙間間隔Ｗ2は、突軸(24)の幅長さＷに対して殆んど余裕はない。
従って、両脚片(51)(51)が平行孔部(23a)(23a)に嵌まった状態で、両脚片(51)(51)を互いに接近する様に押圧しても、突軸(24)によって脚片(51)(51)間の狭まりは阻止される。このため、抜止め片(６)が孔縁(25)を上方に越えることは阻止され、ハンドル(３)が容器本体(１)から外れることは防止される。
【００１９】
対向する突軸(24)(24)間の間隔幅は、軟係止片(７)の横幅よりも狭く、軟係止片(７)は突軸(24)上の孔縁(26)に係脱可能である。
図６ｂに示す如く、脚片(51)の抜止め片(６)が孔縁(25)の下面(25b)に当たり、軟係止片(７)が突軸(24)上の孔縁(26)の上面(26a)に載っている状態で、脚片(51)(51)は平行孔部(23a)(23a)の孔幅に対して少し余裕がある。
【００２０】
然して、ハンドル(３)を容器本体(１)に取り付けるには、ハンドル脚部(５)(５)の夫々脚片(51)(51)、(51)(51)を、容器ベース部(２)(２)のＨ状挿入孔(23)(23)の平行孔部(23a)(23a)、(23a)(23a)に位置を合わせて、強い力で押し込む。
各脚片(51)の抜止め片(６)の傾斜下面(6b)が孔縁(26)の下向き傾斜した上面(25a)に当たって内側に撓み、更に抜止め片(６)及び突軸(24)の弾性変形によって、抜止め片(６)が孔縁(25)を辛うじて通過し、通過後、瞬時に弾性復帰する(図６ｂ)。
２本の突軸(24)(24)は繋がっておらず先端がフリーであるから、適度に弾性変形可能である。
【００２１】
脚片(51)上の軟係止片(７)は突軸(24)上の孔縁(26)の下向き湾曲上面(26a)に当たって下降が阻止されるが、更なる下方への押圧によって軟係止片(７)の上向き湾曲下面(7b)が、孔縁(26)の下向き湾曲上面(26a)に摺接して脚片(51)(51)間が拡げられ、軟係止片(７)の頂部(7c)が孔縁(26)を通過できる。これによってハンドル(３)は握り部(４)の両端がベース部(２)上のコーナガイド片(22)に当たるまで下降し、ハンドル(３)の押し下げ状態となる。
【００２２】
ハンドル(３)を引き上げると、図６ａに示す如く、軟係止片(７)が突軸(24)上の孔縁(26)の下縁(26b)に当たる。更にハンドル(３)を引き上げると、脚片(51)(51)が弾性変形し、脚片(51)(51)間を開き、突軸(24)を乗り越え、瞬時に弾性復帰する。このとき、「カタ」とクリック音を発する。
上記の如く、ハンドル(３)を引き上げる際に、引上げ上端に達する直前に、それを手に感じ、上昇端に達したことを音で知ることができるので、ハンドル(３)を必要以上の力で引き上げてしまい、抜止め片(６)と孔縁(25)の強い衝突で、容器内の水を波立たせてしまい、容器外へ零すことを防止できる。
【００２３】
図７は、脚部(５)の一対の脚片(51)(51)の下端に内向きに抜止め片(６)(６)を突設し、外向きに軟係止片(７)を突設した、他の実施例である。抜止め片(６)の上面(6a)及び下面(6b)、軟係止片(７)の上面(7a)と下面(7b)の傾斜は、上記実施例に準じる。
容器本体(１)のベース部(２)のＨ状挿入孔(23)の平行孔部(23a)(23a)の互いの外側の孔縁(25)(25)の上面(25a)は、軟係止片(７)の押込み勝手に傾斜し、下面(25b)は軟係止片(７)の引抜き勝手に傾斜している。
突軸(24)上の孔縁(26)の上面(26a)は抜止め片(６)に対して押込み勝手に傾斜し、下縁(26b)は水平面である。
図７の実施例も、前記同様の効果を奏する。
【符号の説明】
【００２４】
１  容器本体
２  ベース部
23  挿入孔
24  突軸
25  孔縁
25a  孔縁上面
25b  孔縁下面
５  脚部
51  脚片
６  抜止め片
７  軟係止片
7a  軟係止片上面
7b  抜止め片下面
【図１】
0003157894.tif 000003
【図２】
0003157894.tif 000004
【図３】
0003157894.tif 000005
【図４】
0003157894.tif 000006
【図５】
0003157894.tif 000007
【図６】
0003157894.tif 000008
【図７】
0003157894.tif 000009